(57)【要約】      （修正有）【課題】軽量で、保持するカード状部材の表裏面に簡単にメモ書きができるカードホルダを提供する。【解決手段】カードホルダは、方形のカード状部材を保持可能で、カード状部材を挿入可能な横方向に細長く開口した挿入部１１と、カード状部材を保持状態でカード状部材の表裏面が露出可能且つ抜け落ちない程度に開口する２つの窓部３１，４１と、挿入部及び２つの窓部が形成されていない対向する２つの側面のそれぞれから挿入部とは逆方向の縦方向に突出する枢支部３６，３７と、が形成された細長い略直方体の枠体１と、枢支部３６，３７に揺動自在に枢支され、窓部が形成されている枠体の表裏面のどちらかの一辺に当接することで角度が固定され、枠体を自立させる脚体２と、を有する。【選択図】図１
0003196929.tif 000002
【実用新案登録請求の範囲】
【請求項１】
方形のカード状部材を保持可能で、前記カード状部材を挿入可能な横方向に細長く開口した挿入部と、前記カード状部材を保持状態で前記カード状部材の表裏面が露出可能且つ抜け落ちない程度に開口する２つの窓部と、前記挿入部及び前記２つの窓部が形成されていない対向する２つの側面のそれぞれから前記挿入部とは逆方向の縦方向に突出する枢支部と、が形成される細長い略直方体の枠体と、
前記枢支部に揺動自在に枢支され、前記窓部が形成されている前記枠体の表裏面のどちらかの一辺に当接することで角度が固定され、前記枠体を自立させる脚体と、
を有することを特徴とするカードホルダ。
【請求項２】
前記枠体は、前記表面側の前記窓部が形成されている前部材と、前記裏面側の前記窓部が形成されている後部材と、を有し、
前記前部材及び前記後部材のどちらか一方の両側面から横方向に突出した横係合突起部と、どちらか他方の両側面に前記横係合突起部が挿入可能に横方向に窪んだ横係合窪み部とが形成され、且つ、
前記前部材及び前記後部材のどちらか一方に厚さ方向に突出した厚み係合突起部と、どちらか他方に厚さ方向に窪んでおり前記厚み係合突起部が挿入される厚み係合窪み部とが形成され、
前記横係合突起部及び前記横係合窪み部が係合し、且つ、前記厚み係合突起部及び前記厚み係合窪み部が係合することで、前記カード状部材を保持可能な略直方体となる請求項１に記載のカードホルダ。
【請求項３】
前記脚体は、メモリカードをその平面が前記脚体に対して略平行に保持するストッカーを有し、
前記ストッカーは、
前記メモリカードの対向する側面に２つ、前記側面から対向側面に対して平面方向に突出する保持部と、
前記脚体から厚さ方向に突出し、前記メモリカードが固定された状態で、前記メモリカードを厚さ方向に付勢する付勢部と、を有し、
前記保持部及び前記付勢部で前記メモリカードを厚さ方向に固定する請求項１又は２に記載のカードホルダ。
【請求項４】
前記２つの窓部が形成される前記枠体の前記表裏面で前記挿入部の近くに、前記表面及び前記裏面に貫通する貫通孔が形成されており、
前記貫通孔は、前記枠体に前記カード状部材が保持されている状態で、前記カード状部材によって塞がれることがない位置にある請求項１〜３の何れか１項に記載のカードホルダ。
【請求項５】
前記枠体は、前記挿入部の開口の厚さ方向の長さよりも短く突出し且つ挿入されている前記カード状部材の縁が抜け方向に当接することで前記カード状部材の抜けを防止する抜け止め突出部を前記挿入部の開口内側に有する請求項１〜４の何れか１項に記載のカードホルダ。
【考案の詳細な説明】
【技術分野】
【０００１】
本考案は、カレンダー片や写真等のカード状の部材を収納できるカードホルダに関する。
【背景技術】
【０００２】
従来のカレンダー片や写真などのカードを収納して机上や壁上に飾ることができるカードホルダとして本願出願人は、一方を額縁状とした２枚の透明な板状部材を一定の隙間を介して配設し上部に開口部をもつ枠部材とその枠部材の下方に揺動自在に支承された脚部材とを有するカードホルダが開示されている（例えば、特許文献１参照）。
【０００３】
このカードホルダは、枠部材が形成する隙間にカードを挿入して保持することができる。保持したカードは透明な板状部材を通して視認することができる。そして、２つの板状部材の下端に揺動自在に脚部材が枢支されている。板状部材と脚部材との間の角度は１８０°から前後方向に一定の範囲で揺動可能であり、それ以上の揺動を制限している。従って、このカードホルダは脚部材３０と枠部材との角度が固定できるので自立させることができる。
【０００４】
脚部材３０には連続する環状の凸条である環状凸条部３２をもつ。環状凸条部３２は脚部材３０にて、本カードホルダを自立させているときに、鉛筆、マーカーペンなどの小物類を安定して載置できる場所を提供する部材である。
【先行技術文献】
【特許文献】
【０００５】
【特許文献１】登録実用新案第３１１１５３８号公報
【考案の概要】
【考案が解決しようとする課題】
【０００６】
ところで、このようなカードホルダは、メモ用紙やカレンダー片などのカードに広告を表示する用途で用いられることがある。その場合、挿入するカードを小さくすることなく、材料費を削減、持ち運び安い重さ、ノベルティグッズとして郵送する際の料金削減などの要望があり、軽量が望ましい。特許文献１のカードホルダは、そのような要望を実現した上で、実用性の高い、優れたものの１つである。
【０００７】
本考案は上記実情に鑑みなされたもので、実用性が高く、更なる軽量化されたカードホルダを提供することを解決すべき課題とする。
【課題を解決するための手段】
【０００８】
上記課題を解決するための請求項１に係る考案の構成上の特徴は、方形のカード状部材を保持可能で、前記カード状部材を挿入可能な横方向に細長く開口した挿入部と、前記カード状部材を保持状態で前記カード状部材の表裏面が露出可能且つ抜け落ちない程度に開口する２つの窓部と、前記挿入部及び前記２つの窓部が形成されていない対向する２つの側面のそれぞれから前記挿入部とは逆方向の縦方向に突出する枢支部と、が形成される細長い略直方体の枠体と、
前記枢支部に揺動自在に枢支され、前記窓部が形成されている前記枠体の表裏面のどちらかの一辺に当接することで角度が固定され、前記枠体を自立させる脚体と、
を有することである。
【０００９】
また請求項２に係る考案の構成上の特徴は、請求項１において、前記枠体は、前記表面側の前記窓部が形成されている前部材と、前記裏面側の前記窓部が形成されている後部材と、を有し、
前記前部材及び前記後部材のどちらか一方の両側面から横方向に突出した横係合突起部と、どちらか他方の両側面に前記横係合突起部が挿入可能に横方向に窪んだ横係合窪み部とが形成され、且つ、
前記前部材及び前記後部材のどちらか一方に厚さ方向に突出した厚み係合突起部と、どちらか他方に厚さ方向に窪んでおり前記厚み係合突起部が挿入される厚み係合窪み部とが形成され、
前記横係合突起部及び前記横係合窪み部が係合し、且つ、前記厚み係合突起部及び前記厚み係合窪み部が係合することで、前記カード状部材を保持可能な略直方体となることである。
【００１０】
また請求項３に係る考案の構成上の特徴は、請求項１又は２において、前記脚体は、メモリカードをその平面が前記脚体に対して略平行に保持するストッカーを有し、
前記ストッカーは、
前記メモリカードの対向する側面に２つ、前記側面から対向側面に対して平面方向に突出する保持部と、
前記脚体から厚さ方向に突出し、前記メモリカードが固定された状態で、前記メモリカードを厚さ方向に付勢する付勢部と、を有し、
前記保持部及び前記付勢部で前記メモリカードを厚さ方向に固定することである。
【００１１】
また請求項４に係る考案の構成上の特徴は、請求項１〜３の何れか１項において、前記２つの窓部が形成される前記枠体の前記表裏面で前記挿入部の近くに、前記表面及び前記裏面に貫通する貫通孔が形成されており、
前記貫通孔は、前記枠体に前記カード状部材が保持されている状態で、前記カード状部材によって塞がれることがない位置にあることである。
【００１２】
また請求項５に係る考案の構成上の特徴は、請求項１〜４の何れか１項において、前記枠体は、前記挿入部の開口の厚さ方向の長さよりも短く突出し且つ挿入されている前記カード状部材の縁が抜け方向に当接することで前記カード状部材の抜けを防止する抜け止め突出部を前記挿入部の開口内側に有することである。
【考案の効果】
【００１３】
請求項１に係る考案においては、枠体と脚体とで構成され、脚体が枠体に当接することで、角度が固定され、枠体が自立するカードホルダであって、枠体に保持されるカード状部材が、その表裏面が露出可能な窓部が枠体に形成されている。このような構成とすることで、カード状部材の表裏面に簡単にメモ書きすることができる。しかも、表裏面を露出可能な窓部を設けることで、カードホルダが軽量化される。
【００１４】
請求項２に係る考案においては、枠体が前部材と後部材とで構成されており、カード状部材の表裏面を露出させるために窓部を前部材と後部材とにも設ける構成である。前部材と後部材とは、横係合突起部が横係合窪み部に係合し、且つ厚み係合突起が厚み係合窪み部に係合することで、係合後（枠体形成後）、枠体が横方向にたわむのを厚み係合突起及び厚み係合窪みによって抑制され、枠体が縦方向にたわむのを横係合突起及び横係合窪みによって抑制される。つまり、枠体がたわむほど、窓部の枠が細く軽量化された場合であっても、２つの部材によって枠体を構成することで、カード状部材の表裏面へのメモ書きが可能で且つ軽量な上、たわみにくいカードホルダを提供することができる。
【００１５】
請求項３に係る考案においては、脚体がストッカーを有するため、メモリカードを保持することができる。カードホルダは、カレンダーやメモ等を見やすい場所に保持するのに用いられるため、比較的小さいメモリカードも同様の場所に定位置を決めることで、所在不明になりにくい。そして、メモリカードは、突起部及び付勢部によってしっかりと固定することができるため、枠体を立てた状態や寝かした状態に変形させる際も脚体のストッカーから外れにくい。
【００１６】
請求項４に係る考案においては、枠体の挿入部近くに貫通孔が設けられることで、貫通孔にピンなどを挿入してカードホルダを壁に固定することができる。貫通孔は、枠体に挿入されるカード状部材によって塞がれることがないため、カード状部材を傷付けにくい。本実施形態４の考案によれば、全体を平面上に机上などに寝かした状態、枠体を自立した状態、あるいは壁などに掛けるなどして、カード状部材にメモ書きもでき且つ好みの状態で飾ることができる。
【００１７】
請求項５に係る考案においては、挿入部の開口内側に抜け止め突出部を有するため、枠体に挿入されたカード状部材が挿入部から抜け方向に抜けだしにくい。
【図面の簡単な説明】
【００１８】
【図１】本実施形態のカードホルダの枠体１が自立している状態における正面図である。
【図２】本実施形態のカードホルダの枠体１が自立している状態における上面図である。
【図３】本実施形態のカードホルダの枠体１が自立している状態における断面図である。
【図４】本実施形態のカードホルダの前部材３の正面図である。
【図５】本実施形態のカードホルダの前部材３の背面図である。
【図６】（ａ）は本実施形態のカードホルダの前部材３の図４のＡ−Ａ断面図であり、（ｂ）は図４のＢ−Ｂ断面図である。
【図７】（ａ）は本実施形態のカードホルダの前部材３の上面部であり、（ｂ）は前部材３の底面図である。
【図８】本実施形態のカードホルダの後部材４の正面図である。
【図９】本実施形態のカードホルダの後部材４の背面図である。
【図１０】（ａ）は本実施形態のカードホルダの後部材４の左側面図であり、（ｂ）は図９のＣ−Ｃ断面図である。
【図１１】（ａ）は本実施形態のカードホルダの後部材４の上面部であり、（ｂ）は後部材４の底面図である。
【図１２】本実施形態のカードホルダの脚体２の正面図である。
【図１３】本実施形態のカードホルダの脚体２の上面図である。
【図１４】（ａ）は本実施形態のカードホルダの脚体２の側面図であり、（ｂ）は図１２のＤ−Ｄ断面図である。
【図１５】本実施形態のカードホルダの枠体１が自立している状態における一部を示す斜視図である。
【考案を実施するための形態】
【００１９】
本考案のカードホルダについて以下詳細に説明を行う。本実施形態のカードホルダが保持するカード状部材としては、方形であること以外は特に限定されず、カレンダー、メモ、写真等をあげることができる。カード状部材は同じ大きさに規格化されることが望ましい。これらのカード状部材は１枚、あるいは複数枚を重ね合わせた積層体として保持できる。
【００２０】
（実施形態）
本実施形態のカードホルダは、図１〜３に示されるように、枠体１と脚体２とを有し、プラスチック（ポリスチレン、以下同じ）製の透明な部材である。枠体１は、図２及び図３に示されるように、前部材３と後部材４とが係合して、カード状部材を保持する所定厚みの空間が形成される厚みの薄い略直方体となる。なお、以下で、前部材３及び後部材４の構成について説明するために用いられる図面、図４〜１１は、構成をわかりやすくするため、非透明な部材として図示されている。
【００２１】
前部材３は、図４及び５に示されるように、カード状部材の一面が露出可能な窓部３１が、上枠部３２、横枠部３３，３４、下枠部３５とで囲われて形成される。上枠部３２と下枠部３５とが対向し、横枠部３３，３４が対向する。説明上、上枠部３２と下枠部３５とを結ぶ方向が縦方向とし、横枠部３３，３４を結ぶ方向が横方向とする。前部材３には、横枠部３３，３４のそれぞれ下側から縦方向に下枠部３５よりも突出した枢支部３６，３７が形成されている。上枠部３２には、厚さ方向に貫通した２つの孔３２１，３２２が形成されており、各孔は横枠部３３，３４にそれぞれ近い。また、上枠部３２の内面（後述する後部材４と対面する側の面）には、厚さ方向で後部材４の内面側に山状に突出した抜け止め突出部３２３が形成されている。横枠部３３，３４には、図６に示されるように、それぞれ、縦方向に２つずつ、窓部３１から横方向に窪んだ横係合窪み部３３１，３３２，３４１，３４２が形成されている。更に、横枠部３３、３４には、図５と図６の（ｂ）とに示されるように、縦方向で横係合窪み部３３１，３３２，３４１，３４２より上枠部３２側に、厚さ方向に窪んだ厚み係合窪み部３３３，３４３が１箇所ずつ形成されている。下枠部３５には、図７に示されるように、横方向に２つ、縦方向に貫通した縦係合貫通部３５１，３５２が形成されている。枢支部３６，３７には、横方向で対向する枢支部側に突出した枢支突起部３６１，３７１が形成されている。
【００２２】
後部材４は、図８及び９に示されるように、カード状部材の一面が露出可能な窓部４１が、上枠部４２、横枠部４３，４４、下枠部４５とで囲われて形成される。上枠部４２と下枠部４５とが対向し、横枠部４３，４４が対向する。厚さ方向において、上枠部４２の内面が前部材３の上枠部３２の内面と間隔を置いて対向し、両上枠部３２，４２によって枠体１の挿入部１１が形成される。上枠部４２には、厚さ方向に貫通した２つの孔４２１，４２２が形成されており、各孔は横枠部４３，４４にそれぞれ近い。２つの孔４２１，４２２は、前部材３の上枠部３２の孔３２１，３２２にそれぞれ対応する。前部材３の孔３２１と後部材４の孔４２１と、前部材３の孔３２２と後部材４の孔４２２とが、厚さ方向で連通しており、図１に示されるように、それぞれが枠体１の貫通孔１２，１３である。
【００２３】
そして、図９と図１１の（ａ）とに示されるように、上枠部４２の内面（前部材３と対面する側の面）には、厚さ方向で前部材３の内面側に山状に突出した抜け止め突出部４２３が形成されている。前部材３の上枠部３２にも抜け止め突起部３２３が形成されており、後部材４の上枠部４２の抜け止め突起部４２３とで、２つの抜け止め突起部が挿入部１１の開口内側に形成されている。２つの抜け止め突起部３２３，４２３は、図２に示されるように、横方向で並んでおり、厚さ方向で重なるか重ならない程度に突出している。横枠部４３，４４には、図８〜１０に示されるように、それぞれ、縦方向に２つずつ、横方向に突出した横係合突起部４３１，４３２，４４１，４４２が形成されている。横係合突起部４３１，４３２，４４１，４４２は、前部材３の横枠部３３，３４に形成されている横係合窪み部３４１，３４２，３３１，３３２がそれぞれ対応する位置に形成されており、横係合窪み部に横係合突起部が係合する。更に、横枠部４３、４４には、図９〜１１に示されるように、縦方向で横係合突起部４３１，４３２，４４１，４４２より上枠部４２側に、厚さ方向で前部材３の内面側に突出した厚み係合突起部４３３，４４３が１箇所ずつ形成されている。各係合突起部４３３，４４３は、前部材３の厚み係合窪み部３４３，３３３に対応する位置に形成されており、厚み係合窪み部に厚み係合突起部が係合する。下枠部４５には、図８〜１１に示されるように、横方向に２つ、縦方向に突出した縦係合突起部４５１，４５２が形成されている。各係合突起部４５１，４５２は、前部材３の下枠部３５の縦係合貫通部３５２，３５１が対応する位置に形成されており、縦係合貫通部に縦係合突起部が係合する。
【００２４】
脚体２は、図１４に示されるように、横方向の両端部に枢支孔２０が設けられている。脚体２は、枢支孔に前述の枠体１の枢支部３６，３７の枢支突起部３６１，３７１が挿入して、１８０度以上揺動可能に枢支される。脚体２は、図１２に示されるように、平板状をしており、枠体１の下枠部３５，４５に近接する側に、横方向に延長形成された凸条部２１を有する。凸条部２１は、枠体１の前部材３の下枠部３５又は後部材４の下枠部４５に当接し、脚体２の揺動の範囲を制限する。これにより、本実施形態のカードホルダは、図１〜３に示されるように、枠体１と脚体２とが鋭角の状態で角度が固定され、自立する。図１〜３のカードホルダは、脚体２が枠体１の後部材４の下枠部４１に当接している状態を示している。なお、説明上、脚体２の凸条部２１が前部材３の下枠部３５に当接して自立する状態で、前部材３に対向する脚体２の面を脚体２の表面２２とし、反対の面を裏面２３とする。図１２に戻って、脚体２は、横方向に対して略直角な縦方向に延長形成された板状部材であり、横方向両側が突出した形状、あるいは中央部分が台形に欠けている形状である。横方向両側の突出部分は、枠体１が脚体２によって自立する際、枠体１を支えられるのに必要な長さである。
【００２５】
また、脚体２は、図１２及び図１５に示されるように、表裏面２２，２３にそれぞれ１つのメモリカードを保持するストッカー５を有する。メモリカードの種類としては、ＵＳＢメモリ 、ＳＤ／ＭＭＣ、メモリースティック、ＰＣカード等、多種多様な規格と種類が存在するが、ある程度硬さのあるカード状のメモリカード、例えば、ＳＤカードを保持することを想定している。ストッカー５は、メモリカードを平面と略平行に保持することができ、表面２２と裏面２３とでそれぞれ１つのストッカー５が、厚さ方向でメモリカードを重なって保持しない位置にある。図１２において、脚体２の表面２２右側にストッカー５が１つ、裏面２３はＤ−Ｄ線で回転させた場合、表面２２の時と同じ場所にもう一つのストッカー５がある。
【００２６】
ストッカー５は、メモリカードの両側面に位置する箇所に２つの保持部５１、５２と、メモリカードを厚さ方向に付勢する付勢５３とを有し、メモリカードが保持される場所は、厚さ方向の厚みが薄い。保持部５１，５２は、厚さ方向に所定厚さ突出し、略直角に曲がって、メモリカードを挟み込むように、対向側面側に突出している。付勢部５３は、メモリカードの中央部分付近に位置する箇所が、Ｕ字状に切り欠かれ、Ｕ字の開口側から底面にかけて脚体から厚さ方向に除々に突出する。メモリカードを、脚体２の中央付近から、Ｕ字の開口側から底面に向かう横方向にスライドさせ、保持部５１，５２と脚体２との間に挿入する。そして、メモリカードは、付勢部５３を厚さ方向に押し下げるようにして、メモリカード先端が脚体２に当接する状態まで横方向にスライドする。メモリカードは、両側面を保持部５１，５２で挟まれ、保持部５１，５２と付勢部５３によって、厚さ方向に挟み込まれて、ストッカー５に保持される。カードホルダが自立しておらず、脚体２が固定されておらず、脚体２が揺動自在でぶらぶらとしていても、メモリカードはストッカー５から外れ落ちない。
【００２７】
（作用効果）
枠体１は、前部材３と後部材４との各突起部が対応する窪み部に係合して、細長い略直方体となり、細長く開口した挿入部１１からカード状部材が挿入され、窓部３１，４１からカード状部材の表裏面が露出する。窓部３１，４１の大きさは、カード状部材の外形より小さい。そして、挿入部１１の内側に形成される抜け止め突起部３２３，４２３は、カード状部材が挿入された状態で、カード状部材の上側が突起部３２３，４２３に当接しない。また、貫通孔１２、１３も、抜け止め突起部３２３，４２３から上側に形成されているため、枠体１を自立させない状態で貫通孔１２，１３にピンなどを挿入して、壁などにピン留めしても、カード状部材は傷つけられない。
【００２８】
本実施形態のカードホルダは、例えば、前部材３の窓部３１から今月のカレンダーが露出し、後部材４の窓部４１から来月のカレンダーが露出させることができる。カードホルダは必要に応じて両方のカレンダーに書き込むができる。そして、脚体２の角度がすぐに変えられるため、「リバーシブル卓上カレンダー」として、今月のカレンダー側と来月のカレンダー側とのどちらかを見やすい状態に変更可能である。書き込む際に、枠体１を自立状態としても良く、枠体１と脚体２とを平面にして、机などに置いた状態で書き込むこともできる。また、脚体２によって枠体１を自立させるのではなく、枠体１の貫通孔１２，１３にピンを挿入し、カードホルダ自体を壁などにピン留めすることもできる。
【００２９】
そして、脚体２には、メモリカードが保持することができる。例えば、ＳＤカードなどは、ケースがセットで売られているが、ＳＤカードを入れたケース自体をどこに置いたのか分からなくなる場合、目の着くところに置く適当な置く場所がない場合、置いたはずなのに書類に埋もれてみつかれない場合、などがある。そこで、脚体２のストッカー５にＳＤカードを保持する。カードホルダは、枠体１を自立させる場合も壁などにピン留めした場合も、どこに置いたのか見つかりにくくなることが少ない。そして、脚体２の表裏面に一枚ずつの二枚が、枠体１の自立状態においても、壁などにピン留めされている状態であっても、ストッカー５にしっかりと保持される。また、脚体２は、両側が突出したあるいは中央部分が台形に欠けた形状とすることで軽量となり、更に、メモリカードをストッカー５に嵌め込みやすく、且つ取り外しやすい。
【００３０】
更に、本実施形態のカードホルダは、窓部３１，４１を形成する枠部が細く（狭く）しているため、全体として軽量である。枠部を小さくしたことにより、カードホルダを持ち上げる際、枠部がたわみやすいが、枠体１は前部材３と後部材４とが横方向及び厚さ方向に係合する構成となっている。例えば、上枠部３２，４２を持ち上げた場合、横方向で枠部が縮む方向、横係合突起部４３１，４４１が横係合窪み部３３１，３４１から外れる方向に力が加わるが、厚さ係合突起部４３３，４４３と厚さ係合窪み部３３３，３４３とによって横方向の力に対して対向するため、前部材３と後部材４との係合が外れにくくなっている。つまり、軽量化しても変形しにくい構成である。
【００３１】
また、挿入部１１の抜け止め突起部３２３，４２３は、対向する開口内側の双方に設けられており、対向する開口内側に向かって山状に突出しているため、挿入されているカード状部材が抜け方向に移動したとしても、カード状部材の縁が抜け止め突起部に当接して、挿入部１１から抜け落ちにくくなっている。
【００３２】
以上、本考案の好適な実施形態について説明したが、本考案は上記実施形態に限定されるものではない。例えば、各突起部及び各窪み部は枠体１の一辺毎に２つずつ形成されているが、２つに限られない。また、各突起部及び各窪み部を前部材３及び後部材４で逆の構成とすることもできる。そして、脚体２のストッカーは必ずしも２つ設ける必要はなく、１つでも良い。更に、カードホルダの素材は、プラスチック製の透明な部材に限定されないため、透明・不透明に関係なく、どのような素材を用いてもよい。
【符号の説明】
【００３３】
１：枠体、１１：挿入部、１２，１３：貫通孔、
２：脚体、２１：凸条部、２２：表面、２３：裏面、
３：前部材、３１：窓部、３２：上枠部、３２１，３２２：孔、
３２３：抜け止め突出部、３３，３４：横枠部、
３３１，３３２，３４１，３４２：横係合窪み部、 ３３３，３４３：厚み係合窪み部、
３５：下枠部、３５１，３５２：縦係合貫通部、 ３６，３７：枢支部、
３６１，３７１：枢支突起部、
４：後部材、４１：窓部、４２：上枠部、４２１，４２２：孔、
４２３：抜け止め突出部、４３，４４：横枠部、
４３１，４３２，４４１，４４２：横係合突起部、 ４３３，４４３：厚み係合突起部、
４５：下枠部、４５１，４５２：縦係合貫通部、 ４６，４７：枢支部、
４６１，４７１：枢支突起部、
５：ストッカー、５１，５２：保持部、 ５３：付勢部。
【図１】
0003196929.tif 000003
【図２】
0003196929.tif 000004
【図３】
0003196929.tif 000005
【図４】
0003196929.tif 000006
【図５】
0003196929.tif 000007
【図６】
0003196929.tif 000008
【図７】
0003196929.tif 000009
【図８】
0003196929.tif 000010
【図９】
0003196929.tif 000011
【図１０】
0003196929.tif 000012
【図１１】
0003196929.tif 000013
【図１２】
0003196929.tif 000014
【図１３】
0003196929.tif 000015
【図１４】
0003196929.tif 000016
【図１５】
0003196929.tif 000017